(57)【特許請求の範囲】
【請求項１】
表示部内の所定位置をポインタによって指定する機器に適用される入力制御装置であって、
前記機器の第１の操作入力部からの操作情報に基づき、前記ポインタの前記表示部内の表示位置であるポインタ位置情報を生成するポインタ位置決定部と、
前記ポインタによって選択される選択対象物を前記表示部に表示する選択対象物表示指定部と、
前記ポインタ位置情報と、選択対象物の表示位置を示す選択対象物位置情報に基づき、前記ポインタが所定の選択対象物上に存在することを示す一致検出情報を生成する一致検出部と、
前記一致検出情報に基づき前記機器の第２の操作入力部の現在の入力機能を、ポインタが存在する選択対象物に応じて変換する制御部と、
を備える入力制御装置。
【請求項２】
請求項１記載の入力制御装置であって、
前記選択対象物がアイコンであり、前記制御部は、前記第２の操作入力部に含まれる複数のサブ操作入力部の各々に、前記アイコンに対する異なる作用を施すための異なる機能を割り当てる入力制御装置。
【請求項３】
請求項１記載の入力制御装置であって、
前記選択対象物が、前記第２の操作入力部の入力機能を特定する複数の機能特定領域であって、前記選択対象物表示指定部が、主領域とは別に前記機能特定領域を前記表示部に表示する機能特定領域表示指定部であり、
前記一致検出部は、前記ポインタ位置情報と、前記機能特定領域の表示位置を示す機能特定領域位置情報に基づき、前記ポインタが所定の機能特定領域上に存在することを示す一致検出情報を生成し、
前記制御部は、前記一致検出情報に基づき、前記第２の操作入力部の現在の入力機能を、ポインタが存在する機能特定領域に対応する入力機能に変換する入力制御装置。
【請求項４】
請求項３記載の入力制御装置であって、
前記入力機能は前記第２の操作入力部による文字入力機能であり、前記複数の機能特定領域は異なる文字入力モードを有する入力制御装置。
【請求項５】
請求項１記載の入力制御装置であって、
前記ポインタが前記表示部の端部から所定の距離内に存在する場合、前記制御部は前記表示部の表示画面をスクロールさせる入力制御装置。
【請求項６】
請求項１記載の入力制御装置であって、
前記ポインタが前記表示部の端部から所定の距離内に存在し、前記第２の操作入力部により方向が指定されると、前記制御部は当該方向に前記表示部の表示画面をスクロールさせる入力制御装置。
【請求項７】
請求項１から６のいずれか１項記載の入力制御装置と、表示部と、第１及び第２の操作入力部を含む機器。
【請求項８】
請求項７記載の機器より構成される携帯端末。
【請求項９】
表示部内の所定位置をポインタによって指定する機器に適用される入力制御装置の制御方法であって、
前記機器の第１の操作入力部からの操作情報に基づき、前記ポインタの前記表示部内の表示位置であるポインタ位置情報を生成するステップと、
前記ポインタによって選択される選択対象物を前記表示部に表示するステップと、
前記ポインタ位置情報と、選択対象物の表示位置を示す選択対象物位置情報に基づき、前記ポインタが所定の選択対象物上に存在することを示す一致検出情報を生成するステップと、
前記一致検出情報に基づき前記機器の第２の操作入力部の現在の入力機能を、ポインタが存在する選択対象物に応じて変換するステップと、
を備える制御方法。
【請求項１０】
表示部内の所定位置をポインタによって指定する機器に適用される入力制御装置を起動するプログラムであって、当該プログラムは、
前記機器の第１の操作入力部からの操作情報に基づき、前記ポインタの前記表示部内の表示位置であるポインタ位置情報を生成する手順と、
前記ポインタによって選択される選択対象物を前記表示部に表示する手順と、
前記ポインタ位置情報と、選択対象物の表示位置を示す選択対象物位置情報に基づき、前記ポインタが所定の選択対象物上に存在することを示す一致検出情報を生成する手順と、
前記一致検出情報に基づき前記機器の第２の操作入力部の現在の入力機能を、ポインタが存在する選択対象物に応じて変換する手順と、
を前記入力制御装置に実行させるプログラム。
【発明の詳細な説明】
【技術分野】
【０００１】
本発明は、コンピュータや、携帯端末などの情報機器に用いられる入力制御装置に関するものである。
【背景技術】
【０００２】
近来、コンピュータや携帯端末などの情報機器では、キー操作に依らずに簡便な操作で情報の入力を行う手段として、ポインティングデバイスなどの入力装置が一般的に使用されるようになってきている。従来から使用されているマウス型やライトペン型などのポインティングデバイスを搭載した携帯端末を使用する場合、ユーザが片手で携帯端末を持ち、もう片方の手でポインティングデバイスを操作する必要があり、両手が塞がってしまう点で使い難さがある。
【０００３】
そこで、片手でも表示画面上のポインタを操作できるように、最近の携帯端末では、表示内容をスクロールさせたり、カーソルやポインタの表示の位置を移動させたりするための十字キー、ジョグダイヤル、タッチパッドなどのポインティングデバイスが設けられている。ユーザーが十字キーやタッチパッドなどを必要なだけ動かし、表示ポインタを所望場所或いは所望位置、例えば、操作対象オブジェクトを表示するアイコンに移動させ、ポインティングデバイスと連動するボタンを押すことにより、情報の入力や検索、編集、送受信などの処理を行うことができる。
【０００４】
しかし、従来の技術では、操作対象オブジェクトに対する実行指示操作を複数必要とする場合、一つのポインティングデバイスのみで複数の実行支持操作を行うことが難しく、操作が複雑化するというという問題があった。
【０００５】
このような問題に対処する従来技術として、特許文献１に記載のものがある。この技術では、画面に表示された或るアイコン等のオブジェクトの領域にカーソルが所定時間連続して存在していることを制御システムが検知し、そのアイコン近傍に、そのアイコンに対する複数の操作の内容（左クリック、右クリック、ダブルクリック）を表わす操作オブジェクトを表示する。さらに制御システムは、この操作オブジェクト内のいずれかにポインティングデバイスカーソルが位置付けられ選択された場合、この選択された操作オブジェクト、例えば、「ダブルクリック」を、当該アイコンに対して実行する。
【特許文献１】特開２０００−２４２３８５号公報
【発明の開示】
【発明が解決しようとする課題】
【０００６】
特許文献１の制御システムは、アイコンへのポインタ到着時に複数の操作内容を表示するに留まる。従って、ユーザは表示された操作内容を選択することができるのみであり、応用性にかける。また、テンキー等他の操作入力部をより有効に活用することが望ましい。
【０００７】
本発明は、情報機器の操作や情報入力をより簡単にし、使いやすくするための入力制御装置を提供することを目的とする。
【課題を解決するための手段】
【０００８】
本発明は、表示部内の所定位置をポインタによって指定する機器に適用される入力制御装置を提供し、当該入力制御装置は、前記機器の第１の操作入力部からの操作情報に基づき、前記ポインタの前記表示部内の表示位置であるポインタ位置情報を生成するポインタ位置決定部と、前記ポインタによって選択される選択対象物を前記表示部に表示する選択対象物表示指定部と、前記ポインタ位置情報と、選択対象物の表示位置を示す選択対象物位置情報に基づき、前記ポインタが所定の選択対象物上に存在することを示す一致検出情報を生成する一致検出部と、前記一致検出情報に基づき前記機器の第２の操作入力部の現在の入力機能を、ポインタが存在する選択対象物に応じて変換する制御部と、を備える。
【０００９】
この構成により、ポインタを選択対象物に移動させることにより、テンキー等の現在の入力機能を、ポインタが存在する選択対象物に応じて変換することができる。
【００１０】
また、本発明の入力制御装置は、前記選択対象物がアイコンの場合、前記制御部は、前記第２の操作入力部に含まれる複数のサブ操作入力部の各々に、前記アイコンに対する異なる作用を施すための異なる機能を割り当てる。
【００１１】
この構成により、ポインタをアイコン上に置くことにより、テンキー等の現在の入力機能をそのアイコンに対応する機能に変換することができる。
【００１２】
さらに、本発明の入力制御装置は、前記選択対象物が、前記第２の操作入力部の入力機能を特定する複数の機能特定領域の場合、前記選択対象物表示指定部が、主領域とは別に前記機能特定領域を前記表示部に表示する機能特定領域表示指定部であり、前記一致検出部は、前記ポインタ位置情報と、前記機能特定領域の表示位置を示す機能特定領域位置情報に基づき、前記ポインタが所定の機能特定領域上に存在することを示す一致検出情報を生成し、前記制御部は、前記一致検出情報に基づき、前記第２の操作入力部の現在の入力機能を、ポインタが存在する機能特定領域に対応する入力機能に変換する。
【００１３】
この構成により、複数の機能があったときもポインタの移動により、第２の操作入力部の現在の入力機能をそれぞれの機能に対応する入力機能に変換することができる。
【００１４】
また、本発明の入力制御装置では、前記入力機能は前記第２の操作入力部による文字入力機能であり、前記複数の機能特定領域は異なる文字入力モードを有する。
【００１５】
この構成により、ポインタの移動により、文字入力における文字入力モードを変換することができる。
【００１６】
また、本発明の入力制御装置は、ポインタが表示部の端部から所定の距離内に存在する場合、上記制御部は表示部の表示画面をスクロールさせる構成を有している。
【００１７】
この構成により、ポインタの移動により、表示部の表示画面をスクロールさせることができる。
【００１８】
また、本発明の入力制御装置は、ポインタが表示部の端部から所定の距離内に存在し、第２の操作入力部により、方向が指定されると、上記制御部は当該方向に表示部の表示画面をスクロールさせる構成を有している。
【００１９】
この構成により、第２の操作入力部を構成する方向キーなどの操作により、表示部の表示画面をスクロールさせることができる。
【００２０】
また、本発明は、表示部内の所定位置をポインタによって指定する機器に適用される入力制御装置の制御方法をも提供し、当該制御方法は、前記機器の第１の操作入力部からの操作情報に基づき、前記ポインタの前記表示部内の表示位置であるポインタ位置情報を生成するステップと、前記ポインタによって選択される選択対象物を前記表示部に表示するステップと、前記ポインタ位置情報と、選択対象物の表示位置を示す選択対象物位置情報に基づき、前記ポインタが所定の選択対象物上に存在することを示す一致検出情報を生成するステップと、前記一致検出情報に基づき前記機器の第２の操作入力部の現在の入力機能を、ポインタが存在する選択対象物に応じて変換するステップと、を備える。
【００２１】
また、本発明は、表示部内の所定位置をポインタによって指定する機器に適用される入力制御装置を起動するプログラムをも提供し、当該プログラムは、前記機器の第１の操作入力部からの操作情報に基づき、前記ポインタの前記表示部内の表示位置であるポインタ位置情報を生成する手順と、前記ポインタによって選択される選択対象物を前記表示部に表示する手順と、前記ポインタ位置情報と、選択対象物の表示位置を示す選択対象物位置情報に基づき、前記ポインタが所定の選択対象物上に存在することを示す一致検出情報を生成する手順と、前記一致検出情報に基づき前記機器の第２の操作入力部の現在の入力機能を、ポインタが存在する選択対象物に応じて変換する手順と、を前記入力制御装置に実行させる。
【発明の効果】
【００２２】
本発明は、ボタン操作なしで入力キーの入力機能を変更させることができるという効果を有する入力制御装置を提供することができるものである。
【発明を実施するための最良の形態】
【００２３】
以下、本発明の実施形態の入力制御装置について、図面を用いて説明する。
【００２４】
図１は本発明の実施形態における入力制御装置を携帯電話に実装した場合の外観図である。
【００２５】
図１に示す携帯電話１０は、ヒンジ部１８を介して開閉可能に接続された上筐体１７と下筐体１１から構成される。下筐体１１は、入力キー部（下部操作入力部）１３と上部操作部１４を含む操作部１２を備え、上筐体１１は液晶表示装置などより構成された表示部１５を有する。
【００２６】
入力キー部１３は、上部操作入力部１４の下側（ヒンジ部から遠い側）に形成され、それぞれ電源キー、数字キー（０〜９および各キーにアルファベットａ〜ｚが割当てられている）、＃キー、＊キー、メニューキー等の複数のサブ操作入力部としてのキー（テンキー）１３ａから成り、テンキー１３ａを押下操作することにより、電源のオン・オフを始め、表示部１５への操作メニューの表示および選択、数字や文字の入力、アンテナ（図示せず）を介して電話の受発信や、メールの送受信等の操作を行うことができる。
【００２７】
図２に示すように、上部操作入力部１４は、入力キー部１３の上側（ヒンジ部に近い側）に形成され、環状の十字キー１４１と、十字キー１４１の中央に配置されたタッチパッド１４２とからなる。十字キー１４１はポインタを上下左右に移動させたり、表示をスクロールさせたりするのに用いるものであり、タッチパッド１４２は、ユーザが親指などでそれに触れることにより、画面のポインタが３６０度自由に動くものである（図矢印参照）。
【００２８】
本実施形態では、ユーザが上部操作入力部１４を操作することより、ポインタを表示部１５上において移動させ、ポインタが表示部１５のどの区画にあるかに応じて入力キー１３の入力機能を変化させる。
【００２９】
図３は本発明の実施形態における入力制御装置を実装した携帯電話の構成を示すブロック図である。
【００３０】
図３において、携帯電話１０は、上述した入力キー部１３と上部操作部１４からなる操作部１２と、表示部１５と、入力制御装置１６とを有する。
【００３１】
入力制御装置１６は、ポインタ位置決定部１６１と、ポインタ表示指定部１６２と、アイコン位置記憶部１６３と、アイコン表示指定部（選択対象物表示指定部）１６４と、機能特定領域位置記憶部１６５と、機能特定領域表示指定部（選択対象物表示指定部）１６６と、一致検出部１６７と、制御部１６８とを有する。
【００３２】
ポインタ位置決定部１６１は、上部操作入力部１４へのユーザのポインタの操作入力に対応した操作情報に基づき、ポインタの表示部１５内の表示位置を決定し、ポインタ位置情報（画面上の座標点）を生成する。ポインタ表示指定部１６２は、ポインタ位置情報と、ポインタの形や色などを含んだ面積のある図形としての表示情報（ポインタを画面に表示させるための情報）を表示部１５に出力することにより、ポインタを画面上のどこに表示すべきかを表示部１５に指示する。
【００３３】
アイコン位置記憶部１６３は、ポインタにより選択される選択対象物であるアイコンを表示させるべき表示部１５内の位置（面積的な範囲）であるアイコン位置情報を予め記憶したメモリである。アイコン表示指定部１６４は、アイコン位置情報と、アイコンの形や色などを含んだ面積のある図形としての表示情報（アイコンを画面に表示させるための情報）を表示部１５に出力することにより、アイコンを画面上のどこに表示すべきかを表示部１５に指示する。
【００３４】
機能特定領域位置記憶部１６５は、複数の機能特定領域の各々を表示させるべき表示部１５内の位置（面積的な範囲）である機能特定領域位置情報を予め記憶したメモリである。複数の機能特定領域は、画面上のアイコンなどが表示される主表示領域とは別に区画された機能区画領域中に表示される（図６参照）。機能特定領域もポインタにより選択される選択対象物であり、所定の機能特定領域がポインタによって選択されると、操作部１２に含まれる所定のキーの機能が、当該選択された機能特定領域に応じて変更される。
【００３５】
機能特定領域表示指定部１６６は、機能特定領域位置情報と、機能特定領域の形や色などを含んだ面積のある図形としての表示情報（機能特定領域を画面に表示させるための情報）を表示部１５に出力することにより、機能特定領域を画面上のどこに表示すべきかを表示部１５に指示する。
【００３６】
一致検出部１６７は、ポインタの表示位置を示すポインタ位置情報と、上述したアイコン位置情報又は機能特定領域位置情報に基づき、ポインタが所定のアイコン又は機能特定領域上に存在することを示す一致検出情報を生成する。制御部１６８は、一致検出情報に基づき入力キー１３ａの現在の入力機能を、ポインタが存在するアイコン又は機能区画領域内の機能特定領域に応じて変換する。
【００３７】
以上のように構成された携帯電話について、図４に示すフローチャートと、図５に示すアイコン選択例及び図６に示す入力キーのモード変更の例を用いてその動作を説明する。
【００３８】
まず、制御部１６８は、ポインタによる選択対象物としてのアイコンが表示部１５上に表示されているかを判断する（ステップＳ４０１）。アイコンが表示部１５上に表示されていると判定した場合、制御部１６８は、入力キー部１３の「１」等の入力キー１３ａの各々に、アイコンに対する互いに異なる作用を施すための異なる機能を割り当てる（ステップＳ４０２）。この割り当ては、図示せぬメモリなどに記憶されたデフォルトに従ってなされる。割り当ての例は、入力キー部１３中の「１」のキーがクリック、「３」がドラッグとなり、ドラッグ中（タッチパッドによる）は「１」のキーがドロップのキーになるというものである。
【００３９】
次に制御部１６８は、ポインタがアイコン上にあるかを判断する（ステップＳ４０３）。ここで、一致検出部１６７が、ポインタの表示位置を示すポインタ位置情報と、アイコンの表示位置を示すアイコン位置情報に基づき、ポインタがアイコン上に存在することを示す一致検出情報を生成し、制御部１６８に送る。制御部１６８が一致検出部１６７からの一致検出情報の有無を元にポインタがアイコン上にあるかを判断する。
【００４０】
図５は、ポインタによるアイコンの選択例を示す。この図５において、（ａ）は表示部１５に表示するアイコンの例である。この表示例において、例えば、ユーザが上部操作入力部１４を用いてポインタをメモ機能を示すアイコンＡ１のところまで移動させる操作を行なうと、当該操作に対応した操作情報がポインタ位置決定部１６１に送られる。ポインタ位置決定部１６１はポインタ位置情報を生成してポインタ表示指定部１６２に送る。ポインタ表示指定部１６２は、表示部１５にポインタをポインタ位置情報の位置に表示するよう指定する。表示部１５は、当該位置にポインタを表示する。
【００４１】
そして、一致検出部１６７がポインタの表示位置を示すポインタ位置情報と、アイコンの表示位置を示すアイコン位置情報に基づき、ポインタがメモというアイコンＡ１上に存在することを示す一致検出情報を生成する。
【００４２】
ステップＳ４０３において、ポインタがアイコン上にあると判定した場合、次に制御部１６８は、何らかのキー入力がなされたかを判断する（ステップＳ４０４）。図５（ａ）に示すようにポインタがアイコン上にあると、例えば図１に示した入力キー１３中の「１」のキーがクリック、「３」のキーがドラッグとなり、ドラッグ中（タッチパッドによる）は「１」のキーがドロップのキーになるという設定がなされる。ここで、判断するのは、これらのキーが入力されたかである。例えば図５（ａ）から「１」のキーを入力すると、図５（ｂ）のようにクリックとして中身が開く。すなわち、キーが入力されたと判定した場合、制御部１６８は入力キーの操作を実行する（ステップＳ４０５）。
【００４３】
次に、制御部１６８はポインタが機能区画領域内にあるかを判断し（ステップＳ４０６）、ポインタが機能区画領域内にあると判定した場合、ポインタが存在する機能特定領域の入力モードを起動する（ステップＳ４０７）。ここで、一致検出部１６７が、ポインタ位置決定部１６１からのポインタの表示位置を示すポインタ位置情報と、機能特定領域位置記憶部１６５からの機能特定領域の表示位置を示す機能特定領域位置情報に基づき、ポインタが所定の機能特定領域上に存在することを示す一致検出情報を生成し、生成した一致検出情報を制御部１６８に送る。制御部１６８が一致検出情報に基づき入力キー部１３のテンキー１３ａの現在の入力機能を、ポインタが存在する機能特定領域に応じて変換する。
【００４４】
図６は、入力キーのモード変換例を示す。この図６に示す例は、アイコン選択で「メール入力」が選択された場合、表示部１５に、入力されたメールの内容を表示する部分である主領域と、機能区画を表示する部分である機能区画領域が表示され、機能区画領域には、各種の入力機能に対応した機能特定領域が表示されている。機能特定領域は、例えば「ひらがな」入力機能に対応した領域や、英文の「大文字」入力機能に対応した領域を含む。一致検出部１６７は、ポインタが機能区画領域上の「ひらがな」と書いてある部分にあることを検出したとき、ポインタが当該部分に対応した機能特定領域上に存在することを示す一致検出情報を生成し、制御部１６８に送る。制御部１６８は、この一致検出情報に基づき「ひらがな」の入力モードを起動する。
【００４５】
続いて、ユーザがテンキー１３ａを用いてメール内容を入力する（ステップＳ４０８）。ここで、「ひらがな」の入力モードが起動されたので、入力キー１３を用いてユーザがメール内容を入力すると、メール内容は「ひらがな」で表示される内容となる。図６の例においては、「こんにちは」という内容は、この「ひらがな」の入力モードが起動された状態でユーザによって入力された内容である。
【００４６】
続いて、制御部１６８は、一致検出部１６７からの一致検出情報に基づき、ポインタが移動したかを判断する（ステップＳ４０９）。ポインタが移動していないと判定した場合、ステップＳ４０８に戻り、制御部１６８は引き続き同じモードでの入力を維持する。図６（ａ）の例では、引き続き「ひらがな」の入力モードで、ユーザはメール内容を入力する。
【００４７】
一方、ステップＳ４０９において、ポインタが移動したと判定した場合、ステップＳ４０６に戻り、制御部１６８は、ポインタが機能区画領域上にあるかを、一致検出情報に基づき判断する。例えば、図６（ｂ）に示す例の場合、ポインタが機能区画領域上の「大文字」と書いてある部分に移動されたので、制御部１６８は、ポインタが存在する機能特定領域の入力モード、すなわち「大文字」の入力モードを起動する（ステップＳ４０７）。このとき、ユーザがテンキー１３ａを用いてメール内容を入力すると、英文の「大文字」で示す内容が入力される。図６（ｂ）の「ＨＥＬＬＯ」という内容は、この「大文字」の入力モードで入力された内容である。すなわち、ポインタを機能区画領域中のセグメント（機能特定領域）である「ひらがな」から「大文字」の部分へ移動させると、入力モードがひらがなから英文大文字に変わる。
【００４８】
また、ステップＳ４０１において、アイコンが表示部１５上に表示されていないと判定した場合、ステップＳ４０６に進み、制御部１６８は、ポインタが機能区画領域内にあるかを判断する。
【００４９】
また、ステップＳ４０３において、ポインタがアイコン上にないと判定した場合、或いはステップＳ４０４において、キーが入力されなかったと判定した場合、もしくはステップＳ４０６において、ポインタが機能区画領域内にないと判定した場合、ステップＳ４０１に戻り、制御部１６８は再度アイコンが表示されているかを判断する。
【００５０】
以上説明したように、一致検出部１６７は、ポインタの表示位置を示すポインタ位置情報と、アイコンの表示位置を示すアイコン位置情報または機能特定領域の表示位置を示す機能特定領域位置情報に基づき、ポインタが所定のアイコンまたは機能特定領域上に存在することを示す一致検出情報を生成し、制御部１６８に送る。制御部１６８が一致検出情報に基づき入力キー部１３ａの現在の入力機能を、ポインタが存在する機能特定領域に応じて変換する。
【００５１】
このため、ユーザが入力キーの機能を変更したいとき、ボタン操作なしで入力キーの入力機能を変更させることができる。
【００５２】
なお、以上の説明では、メール入力の例を説明したが、本発明は、テレビ放送の送受信やミュージックプレーヤーなどに適用することも可能である。
【００５３】
図７は、本発明の入力制御装置をテレビ放送受信端末とミュージックプレーヤーに適用した例を示す。図７（ａ）は、テレビ放送受信端末において、テレビ放送の受信内容を表示する主領域の下に、機能区画領域を設け、その機能区画領域に各機能特定領域を表示した例を示す。ユーザが入力キーの機能を変更したいとき、例えば、キーをチャンネルの入力モードに変更したいとき、ポインタを「チャンネル」と書いてある部分（機能特定領域）に移動させ、制御部１６８が入力キー部１３のテンキー１３ａの現在の入力機能を、ポインタが存在する機能特定領域、すなわち、「チャンネル」変更に応じて変換する。
【００５４】
図７（ｂ）は、ミュージックプレーヤーの表示部１５に機能区画領域を設け、その機能区画領域に各機能特定領域を表示した例を示す。ユーザが入力キーの機能を変更したいとき、例えば、曲を選択したいとき、ポインタを「選択曲」と書いてある部分（機能特定領域）に移動させ、制御部１６８が入力キー部１３のテンキー１３ａの現在の入力機能を、ポインタが存在する機能特定領域、すなわち、「選択曲」変更に応じて変換する。ここで、入力キー部１３の現在の入力機能を変更すると同時に、各キーに対応する曲名も表示部１５上に表示する。ユーザが、表示部１５をみながら入力キー部１３のテンキー１３ａを押すことにより、曲選択を行うことができる。
【００５５】
また、ポインタが表示部１５の端部から所定の距離内に存在する場合、制御部１６８は表示部１５の表示画面をスクロールさせるような処理を行なってもよい。
【００５６】
図８は、制御部１６８が機能区画領域の表示画面をスクロールさせる例である。図８（ａ）は、所定時点におけるメール入力時の表示画面例であり、（ｂ）は、（ａ）の画面から機能区画領域の表示画面をスクロールさせた後の画面例である。
【００５７】
図８（ａ）が示す画面が表示されているとき、ユーザの上部操作入力部１４より、ポインタを表示部１５の端部から所定の距離内に移動させたとき、一致検出部１６７がポインタの表示位置を示すポインタ位置情報と、機能特定領域の表示位置を示す機能特定領域位置情報に基づき、ポインタが機能区画領域内における所定位置（図８の斜線部）に存在することを示す一致検出情報を生成し、制御部１６８に送る。制御部１６８が一致検出情報に基づき、表示部１５の機能区画領域の表示画面を自動的にスクロールさせる。このような処理により、ユーザはより多くの機能を簡易に入力キーに割り当てることが可能となる。ここで、図８（ａ）の状態において、十字キー１４１などにより方向が指定された場合のみ、制御部１６８は当該方向に機能区画領域をスクロールさせてもよい。
【００５８】
図９は、主領域の表示画面のスクロール例を示す。図９（ａ）は、もとの表示画面であり、この画面が表示されている時、ポインタが画面端から所定距離内（点線まで）に移動されたので、制御部１６８は表示画面を自動的に所定量スクロールさせる。図９（ｂ）では図９（ａ）から主領域の縦半分の量だけスクロールさせた例を示し、画面１の下半分が表示され、次の画面である画面２の上半分が表示されている。
【００５９】
本例においても、図９（ａ）の状態において、十字キー１４１などにより方向が指定された場合のみ、制御部１６８は当該方向に主領域をスクロールさせてもよい。また、例えば、ポインタが縦画面端から所定距離以内（上下の点線まで）にある場合は、例えば「３」のキーを上スクロール、「９」のキーを下スクロールのキーに設定することができる。同様にポインタが横画面端から所定距離以内（左右の点線まで）にある場合は、「１」のキーを左スクロール、「３」のキーを右スクロールのキーに設定することができる。
【００６０】
本発明の入力制御装置は、ポインタがアイコン上に存在することを検出すると、そのポインタが存在するアイコンに対し、異なる作用を施すための異なる機能を各キーに割り当てることができる。従って、ボタン操作なしで入力キーの入力機能を変更させることができ、マウス等も不要となり、構成の簡略化と操作の短縮化を実現することができる。
【００６１】
さらに本発明の入力制御装置は、表示部に機能区画領域を設けるよう指示し、ポインタが機能区画領域上に存在する位置を検出すると、そのポインタが存在する機能特定領域に応じて入力キーの現在の入力機能や表示画面を変換することにより、ボタン操作なしで入力キーの入力機能を変更させることができ、マウス等も不要となり、構成の簡略化と操作の短縮化を実現することができる。
【００６２】
本発明は、図４に示した如き手順を入力制御装置に実行させるプログラムをも提供する。当該プログラムは、制御部１６８に設けられたメモリ領域や、入力制御装置１６、携帯電話１０内の記憶装置に保持され、所定の手順を入力制御装置１６に実行させる。
【００６３】
尚、本実施形態では、ポインタの位置を決定する第１の操作入力部、ポインタによって選択される選択対象物（アイコン又は機能特定領域）に応じて、機能が変換される第２の操作入力部の少なくとも二つの操作入力部を有する携帯電話に、本発明の入力制御装置を適用した。上述した実施形態では、二つの操作入力部は上部操作入力部（十字キー及びタッチパッド）と入力キー部（テンキー）より構成したが、本発明の入力制御装置の適用先は、特にこのような操作形態に限定されるものではない。
【００６４】
また、入力制御装置が適用される携帯端末は携帯電話には限定されず、ＰＤＡ（Personal Digital Assistant）等、他の携帯機器も含まれる。さらには、入力制御装置が適用される機器は携帯機器に限られず、据え置き型の機器にも適用可能である。
【００６５】
以上、本発明の各種実施形態を説明したが、本発明は前記実施形態において示された事項に限定されず、明細書の記載、並びに周知の技術に基づいて、当業者がその変更・応用することも本発明の予定するところであり、保護を求める範囲に含まれる。
【産業上の利用可能性】
【００６６】
以上のように、本発明にかかる入力制御装置は、ボタン操作なしで入力操作部の入力機能を変更させることができるという効果を有し、携帯端末の操作や情報入力をより簡単に、使いやすくするための入力制御装置等として有用である。
【図面の簡単な説明】
【００６７】
【図１】本発明の入力制御装置を実装した携帯電話の外観図
【図２】操作部の拡大図
【図３】本発明の実施形態における入力制御装置を実装した携帯電話の構成を示すブロック図
【図４】本発明の実施形態における入力制御装置を実装した携帯電話の動作を示すフローチャート図
【図５】アイコン選択例を示す図
【図６】入力キーのモード例を示す図
【図７】テレビ放送受信端末とミュージックプレーヤーで本発明の実施形態の入力制御装置を利用するときの例を示す図
【図８】表示画面をスクロールさせる例を示す図
【図９】表示画面のスクロール例を示す図
【符号の説明】
【００６８】
１０  携帯電話
１１  下筐体
１２  操作部
１３  入力キー部
１４  上部操作入力部
１５  表示部
１６  入力制御装置
１７  上筐体
１８  ヒンジ部
１６１  ポインタ位置決定部
１６２  ポインタ表示指定部
１６３  アイコン位置記憶部
１６４  アイコン表示指定部
１６５  機能特定領域位置記憶部
１６６  機能特定領域表示指定部
１６７  一致検出部
１６８  制御部
【図１】
0004697816.tif 000002
【図２】
0004697816.tif 000003
【図３】
0004697816.tif 000004
【図４】
0004697816.tif 000005
【図５】
0004697816.tif 000006
【図６】
0004697816.tif 000007
【図７】
0004697816.tif 000008
【図８】
0004697816.tif 000009
【図９】
0004697816.tif 000010